(57)【要約】  低減された色分解を可能にする照明装置（２００ａ）が提供される。当該照明装置は、出力方向に沿って光を放射するように構成される。当該照明装置は、ベース（２１０）と、１つ以上の発光ダイオード（ＬＥＤ）チップ（２２１）と、光透過性の誘電材料とを有する。上記１つ以上の発光ダイオード（ＬＥＤ）チップは、ベース上で非対称に分布され、上記出力方向に光を放つように構成される。光透過性誘電材料は、上記１つ以上のＬＥＤチップを埋め込み得るとともに、ルミネセント材料を含む。上記１つ以上のＬＥＤチップのうちの第１チップが、第１チップの１つのコーナーが当該照明装置の中心軸（２９０）と重なるように配置され、又は少なくとも重なるのに近いものであるように配置される。
2018508962.tif 000002
【特許請求の範囲】
【請求項１】
出力方向に沿って光を放射するように構成された照明装置であって、当該照明装置は、
ベースであり、該ベース上で２つ以上の発光ダイオード（ＬＥＤ）チップが当該照明装置の中心軸に対して非対称に分布され、前記１つ以上のＬＥＤチップは前記出力方向に光を放つように配置される、ベースと、
前記１つ以上のＬＥＤチップを埋め込んだ光透過性誘電材料であり、ルミネセント材料を含む光透過性誘電材料と
を有し、
前記１つ以上のＬＥＤチップのうち、第１チップが、前記中心軸に最も近く配置され、
前記第１チップは、
前記中心軸及び前記第１チップが、前記第１チップのコーナーで重なる、又は
前記中心軸及び前記第１チップは重ならず、前記中心軸に最も近い前記第１チップのコーナーと前記中心軸との間の距離が、前記ベースのサイズの１／１０よりも大きくない、
ように配置され、
前記１つ以上のＬＥＤチップのうち、第２チップが、前記ベースのエッジに配置されて、前記第２チップの最長の辺が前記ベースの前記エッジに隣接するようにされている、
照明装置。
【請求項２】
前記第２チップは、前記ベースの前記エッジに隣接した少なくとも１つの点を有し、前記第２チップの最短の辺が、前記第１チップの最短の辺を延長したものとアライメントされている、請求項１に記載の照明装置。
【請求項３】
前記第２チップは、前記ベースの前記エッジに隣接した２つの点を有し、前記第２チップの最長の辺が、前記第２チップに隣接した前記ベースの前記２つの点間の前記エッジの接線方向とアライメントされている、請求項２に記載の照明装置。
【請求項４】
前記１つ以上のＬＥＤチップのうち、第３チップが、前記第１チップよりは前記中心軸から遠く且つ前記第２チップよりは前記中心軸に近い位置に配置されている、請求項２又は３に記載の照明装置。
【請求項５】
前記ベースは、長方形の形状又は正方形の形状を有する、請求項１乃至４の何れか一項に記載の照明装置。
【請求項６】
その軸に沿って前記１つ以上のチップがその最長の延在を持つ軸が、その軸に沿って前記ベースがその最長の延在を持つ軸とアライメントされている、請求項１乃至５の何れか一項に記載の照明装置。
【請求項７】
前記ベースは、円状の形状又は楕円状の形状のうちの１つを有する、請求項１乃至４の何れか一項に記載の照明装置。
【請求項８】
前記出力方向に沿って放たれた光からビームを形成するように構成された光コンポーネント、を更に有する請求項１乃至７の何れか一項に記載の照明装置。
【請求項９】
前記中心軸が、前記光コンポーネントの光学軸と一致している、請求項８に記載の照明装置。
【請求項１０】
前記中心軸は、放射される光の前記出力方向に、前記ベースの中心を通って延在している、請求項１乃至９の何れか一項に記載の照明装置。
【請求項１１】
前記１つ以上のＬＥＤチップは、三角形、正方形、長方形、平行四辺形、多角形、又はこれらの形状の一部の形状にされている、請求項１乃至１０の何れか一項に記載の照明装置。
【発明の詳細な説明】
【技術分野】
【０００１】
本明細書は、概して、発光ダイオード（ＬＥＤ）に基づく照明装置の分野に関し、特に、非対称にマウントされた複数のＬＥＤチップを有する照明装置を開示する。
【背景技術】
【０００２】
一般に、中出力及び低出力のＬＥＤベースの照明装置は、白色カップと、青色光を放出する１つ以上のＬＥＤチップと、放出された青色光の波長を変換するための蛍光体光伝達誘電体とを有する。波長変換蛍光体に到達する放出青色光は、通常、黄色光（波長変換蛍光体の特性に依存する）を生じさせる。ＬＥＤベースの照明装置からの光出力の一部は黄色であり得るが、ＬＥＤチップから異なる角度で放射される様々な光線が不等量の蛍光体を通過することに起因して、出力光は異なるスペクトル組成を有することになる。
【０００３】
従って、ＬＥＤベースの照明装置から放射される光のスペクトル組成には、空間に依存する差異が存在することになり、これはカラー・オーバー・ポジション（ＣＯＰ）と呼ばれる。
【０００４】
このようなＣＯＰを呈するＬＥＤベースの照明装置からの光は、コリメータを通過した後に、遠視野でのスペクトル組成において角度差を生じさせることになり、これはカラー・オーバー・アングル（ＣＯＡ）と呼ばれる。
【０００５】
ＣＯＡを示すＬＥＤベースの照明装置をスポット用途で使用することに伴う１つの問題は、特に、狭い光ビームに関して、パターンの縁での深刻な着色が起こり得ることである。
【発明の概要】
【０００６】
本発明の１つの目的は、上述の問題の一部を少なくとも部分的に克服する照明装置を提供することである。特に、１つの目的は、色分解が低減される照明装置を提供することである。
【０００７】
上述の目的は、独立請求項に従った本発明によって達成される。好適な実施形態が従属請求項に記載される。
【０００８】
例えば、一実施形態において、出力方向に沿って光を放射するように構成された照明装置が提供される。当該照明装置は、ベースと、１つ以上の発光ダイオード（ＬＥＤ）チップと、光透過性の誘電材料とを有する。ベース上で、１つ以上のＬＥＤチップが当該照明装置の中心軸に対して非対称に分布される。これら１つ以上のＬＥＤチップは、上記出力方向に光を放つように構成される。光透過性誘電材料はこれら１つ以上のＬＥＤチップを埋め込んでいる。光透過性誘電材料はルミネセント材料を含んでいる。上記１つ以上のＬＥＤチップのうちの第１チップが、第１チップの１つのコーナーが当該照明装置の中心軸と重なるように配置され、又は少なくとも重なるのに近いものであるように配置される。
【０００９】
上の実施形態において、典型的なコリメータによって生成されるスペクトル組成における遠視野角度差が、実際に、コリメートされないＬＥＤのスペクトル組成における角度差それ自体によって主に引き起こされるのではなく、スペクトル組成における空間依存差によって主に引き起こされることが分かった。照明装置では、ＬＥＤチップの配置が、非コリメート光のスペクトル組成における空間依存差をもたらす。この空間依存差が、光がコリメータを通過したときに、スペクトル組成における角度依存差をもたらす。従って、改善されたチップ配置を提供することによって、改善されたＣＯＡを有する照明装置を達成することができる。
【００１０】
さらに、コリメータ及び／又は混合素子を通過した後の光ビームのＣＯＡが、主として、スペクトル組成における空間依存差の回転平均に依存することが分かった。従って、複数のＬＥＤチップの位置を半径方向にミックスすることが、ＣＯＡに良い影響を有することになる。
【００１１】
上の実施形態に従った照明装置は、色を混合するための専用の光学系の必要性を低減する点で有利である。結果として、混合用の光学系による強度損失及びその他の不具合を回避することができ、より高い強度を持った、より狭いビームを得ることができる。
【００１２】
理解されるように、照明装置のベースは、平坦であってもよいし、凹面であってもよいし、凸面であってもよいし、凹凸面であってもよいし、又はこれらの組み合わせであってもよい。
【００１３】
本開示における用語“出力方向”は、その意図する使用中にその光学デバイスから出力される光が向けられる方向を意味する。
【００１４】
本開示における用語“非対称に分布される”は、対称性がない分布、特に、照明装置の中心軸に対して回転対称性がない分布を意味する。例えば、複数のＬＥＤチップの非対称分布は、３６０度を除く全ての角度において、中心軸の周りの回転でその全体的な形状を変化させることになる。本コンテキストでは、第１チップのコーナーについての上述の制約の下で、複数のＬＥＤチップがベース上でランダムに分布され得る。
【００１５】
本開示における用語“重なる（一致する）のに近い”は、指定された位置から、指定された方向と同じ方向に測定したときに、点が、指定された方向に、ベースのサイズの１／１０よりも大きくない距離の中にあることを意味する。
【００１６】
用語“エッジと接している”は、ＬＥＤチップのエッジがベースのエッジと接している又は近い若しくは隣接している配置を意味する。製造機械のオペレーションに起因して、ベースのエッジに対して典型的に０．１−０．２ｍｍの間隙が必要とされ、これはベースのエッジに近い又は接していると見なされる。
【００１７】
一実施形態において、上記１つ以上のＬＥＤチップのうち、第２チップが、ベースのエッジに配置されて、第２チップの最長の辺がベースの該エッジとアライメントされる（揃えられる）ようにされる。この実施形態では、なおもＣＯＡを妥協することなく、また、装置を大いに拡大する大型化することなく、より高い光強度を有する照明装置が構築され得る。さらに、幾つかのＬＥＤチップを用いて、放出される光のいっそう良好な制御に達することができる。
【００１８】
一実施形態において、ベースのエッジとアライメントされるチップは、ベースのエッジに接した又は隣接した少なくとも１つの点を有し、該チップの最短の辺が、第１チップの最短の辺を延長したものとアライメントされる。本実施形態は、これらのチップを同じ向きに配置することによって装置のいっそう単純な製造を可能にしながら色バラつきが低減される設計を提供する。
【００１９】
一実施形態において、ベースのエッジとアライメントされるチップは、ベースのエッジに接した又は隣接した２つの点を有し、該チップの最長の辺が、ベースのこれら２つの点間のエッジの接線方向とアライメントされる。理解されるように、ベースのこれら２つの点は、ベースのエッジとアライメントされたチップと接した又は隣接した２つの点に相当する。
【００２０】
本開示における用語“接線方向”は、形状の上の点における導関数又は傾きの方向を意味する。
【００２１】
一実施形態において、上記１つ以上のＬＥＤチップのうち、第３チップが、第１チップよりは上記中心軸から遠く且つ第２チップよりは上記中心軸に近い位置に配置される。この実施形態では、ＣＯＡを妥協することなく、より多くのチップと、より高い光強度とを有する照明装置が構築され得る。さらに、幾つかのＬＥＤチップを用いて、より高度なカスタマイズと、放出される光のいっそう良好な制御とに達することができる。
【００２２】
一実施形態において、ベースは、長方形の形状又は正方形の形状を有する。一部の実施形態では、その軸に沿って１つ以上のチップがその最長の延在を持つ軸が、その軸に沿ってベースがその最長の延在を持つ軸とアライメントされる。結果として、更に改善されたＣＯＡを有する照明装置を達成することができる。
【００２３】
一実施形態において、ベースは、円状の形状（例えば円など）又は楕円状の形状（例えば楕円など）のうちの１つを有する。
【００２４】
一実施形態において、ベースは、ボウル状の形状又は側壁を有する何らかのその他の形状を有する。側壁は、チップ及び誘電体を囲むことができ、また、反射性、拡散反射性、遮断性、又はこれらの組み合わせであり得る。本実施形態において、上記１つ以上のチップは典型的に、ベースの底部に配置される。チップとは反対側のベースの頂部は、チップから放たれた光を伝達するための放射窓として機能する開口部を形成し得る。この実施形態では、光透過性誘電材料は、ボウル形状のベースを充填することによって設けられ得る。この誘電体は、典型的に蛍光体と混合されて、青色放出光の一部を白色光へと変換し得る。
【００２５】
一実施形態において、照明装置は更に、出力方向に沿って放たれた光からビームを形成するように構成された光コンポーネントを有する。一実施形態において、装置から放射される光は、ビームへとコリメートされる。他の一実施形態では、用途に応じて、この光コンポーネントは、放たれた光を拡散させることにも利用される。
【００２６】
理解されることになるように、装置の出力を形成することには様々な光コンポーネントが利用され得る。例えば、光をコリメートする又は拡げるために、例えばレンズ及びミラーなどのコンポーネントが使用され得る。
【００２７】
一実施形態において、装置の中心軸が光コンポーネントの光学軸と一致する。このような設計により、より良好な色均一性が達成され得る。本実施形態はまた、適切にアライメントされた光コンポーネントによって位置不整合が補正され得るので、よりロバストなベースのアライメントを可能にすることにより、単純化されたマウント手順をもたらし得る。
【００２８】
理解されることになるように、一部の他の実施形態では、装置の中心軸は、光コンポーネントの光学軸と一致しなくてもよい。
【００２９】
一実施形態において、中心軸は、放射される光の方向にベースの中心を通って延在して、アライメントすることがいっそう容易であり得る装置をもたらし、それにより、製造プロセスが単純化される。
【００３０】
一実施形態において、１つ以上のＬＥＤチップは、正方形、長方形、三角形、平行四辺形、多角形、又はこれらの形状の一部のような形状にされる。
【００３１】
理解されることになるように、上述の実施形態にて記載された特徴のあらゆる可能な組み合わせを用いて、他の実施形態も想定され得る。
【図面の簡単な説明】
【００３２】
以下の図を含む添付図面を参照して、以下の典型的な実施形態の例示的且つ非限定的な詳細な説明にて、本発明を記述する。
【図１ａ】ＬＥＤベースの照明装置に関する典型的なチップレイアウトの模式図である。
【図２ａ】一実施形態に従った１つのＬＥＤチップを有する照明装置の模式図である。
【図２ｂ】一実施形態に従った２つのＬＥＤチップを有する照明装置の模式図である。
【図２ｃ】一実施形態に従った３つのＬＥＤチップを有する照明装置の模式図である。
【図３ａ】一実施形態に従った１つのＬＥＤチップを有する照明装置の模式図である。
【図３ｂ】一実施形態に従った２つのＬＥＤチップを有する照明装置の模式図である。
【図３ｃ】一実施形態に従った１つのＬＥＤチップを有する照明装置の模式図である。
【図４】一実施形態に従った２つのＬＥＤチップを有する照明装置の模式図である。
【図５】一実施形態に従ったＬＥＤチップ及び光コンポーネントを有する照明装置の模式図である。
【図６】一実施形態に従った２つのＬＥＤチップを有する照明装置の斜視図である。
【図７】一実施形態に従った２つのＬＥＤチップを有する照明装置の斜視図である。  図は全て、模式的であり、必ずしも縮尺通りでなく、概して、発明を明らかにするために必要な部分のみを示しており、その他の部分は省略され又は単に示唆されるのみであり得る。これらの図の全体を通して、同じ参照符号は、同じ又は基本的に同じ機構を指す。
【発明を実施するための形態】
【００３３】
以下、現時点で好適な実施形態を示す添付図面を参照して、例示のための実施形態をいっそう十分に説明する。しかしながら、本発明は、数多くの異なる形態で具現化され得るものであり、ここに説明される実施形態に限定されるように解釈されるべきでなく、むしろ、これらの実施形態は、徹底さ及び完全さのために提供されるものであり、また、本発明の範囲を当業者に十分に伝えるものである。
【００３４】
図１ａを参照するに、発光チップを有する既知のシステムが記載されている。
【００３５】
図１ａは、ＬＥＤベースの照明装置１００ａに関する典型的な１チップレイアウトの模式図を示している。チップ１２０ａの中心が、ベース１１０の中心すなわち中心軸１９０に対して合わせられている。チップが光を放出し、そして、それが装置の外へと伝播する。
【００３６】
図２ａ、２ｂ、２ｃは、それぞれ、１つ、２つ、３つの発光チップを有する本発明の実施形態に従った照明装置の模式図を示している。
【００３７】
図２ａに示す照明装置２００ａは、発光ダイオードチップ２２１の中心がベース２１０の中心すなわち中心軸に対して合わせられていないことを除いて、図１ａを参照して説明した発光装置１００ａと同等である。この実施形態において、チップ２２１は、チップ２２１の１つのコーナーが照明装置２００ａの中心軸２９０と重なる、又は少なくとも重なるのに近い、ように配置されている。チップ２２１は、ベース２１０から外を向く方向に光を放つように構成される。
【００３８】
ベース２１０は、本図において、円形の形状として示されており、その中心位置又は中心軸２９０をインジケータがマーキングしている。チップ２２１は、長方形の形状を有しており、１つのコーナーをベースの中心に置いて位置付けられている。チップは、ベースの内側に収まっており、このケースでは、ベースの半径のおよそ２／３である長辺２２５と、このケースではその長辺のおよそ１／２であるチップの短辺２２６とで図示されている。
【００３９】
図２ｂに示す照明装置２００ｂは、ベース２１０のエッジ位置に第２チップ２２２が配置されていることを除いて、図２ａを参照して説明した照明装置２００ａと同等である。第２チップ２２２は、第２チップ２２２の最長の辺が、ベース２１０のエッジとアライメントされる（そして、図２ｂに示す特定の例では、ベース２１０のエッジと接触している又は隣接している）ように配置されている。第２チップ２２２も、ベース２１０から外を向く方向に光を放つように構成される。
【００４０】
第２チップ２２２は、本図において、第１チップ２２１と同様のサイズ及び向きで示されているが、上述のように、異なる位置に置かれており、それにより、中心軸２９０に対するこれらＬＥＤチップの場所又は位置の非対称分布を提供している。
【００４１】
図２ｃに示す照明装置２００ｃは、第３チップ２２３が配置されていることを除いて、図２ｂを参照して説明した照明装置２００ｂと同等である。第３チップ２２３は、（例えば、これらのＬＥＤチップの例えば重心などの中心を、中心軸に対する距離を決定する基準点としてとるときに、）第１チップ２２１よりは中心軸２９０から遠く且つ第２チップ２２２よりは中心軸２９０に近い位置に配置されている。換言すれば、第３チップ２２３は、中心軸２９０（又はベース２１０の中心）を中心とする極座標系において、第１チップ２２１と第２チップ２２２との間に配置されている。第３チップ２２３も、ベース２１０から外を向く方向に光を放つように構成される。
【００４２】
第３チップ２２３は、本図において、第１チップ２２１及び第２チップ２２２と同様のサイズ及び向きで示されているが、上述のように、異なる位置に置かれており、それにより、中心軸２９０に対するこれらＬＥＤチップの場所又は位置の非対称分布を提供している。
【００４３】
図３ａに示す照明装置３００ａは、ベース３１０が長方形の形状を有することと、チップ３２１の最長の辺がそれに沿って延在している軸が、ベース（又はカップ）の最長の辺がそれに沿って延在している軸とアライメントされていることとを除いて、図２ａを参照して説明した照明装置２００ａと同等である。チップ３２１は、ベース３１０から外を向く方向に光を放つように構成される。
【００４４】
ベース３１０は、本図において、長方形の形状として示されており、その中心位置又は中心軸３９０をインジケータがマーキングしている。チップ３２１は、長方形の形状を有しており、１つのコーナーをベース３１０の中心に置いて位置付けられている。チップ３２１は、ベース３１０の内側に収まっており、このケースでは、その長さのおよそ１／２である幅を有して図示されている。チップ３２１の面積は、ベース３１０の面積の約１／２０である。ベース３１０の長辺２２５は、ベース３１０の短辺よりも約５０％大きい。その軸に沿ってチップ３２１がその最長の延在を持つ軸が、その軸に沿ってベース３１０がその最長の延在を持つ軸とアライメントされている。
【００４５】
図３ｂに示す照明装置３００ｂは、ベース３１０のエッジ位置に第２チップ３２２が配置されていることを除いて、図３ａを参照して説明した照明装置３００ａと同等である。第２チップ３２２は、第２チップ３２２の最長の辺が、ベース３１０のエッジとアライメントされるように配置されている。第２チップ３２２も、ベース３１０から外を向く方向に光を放つように構成される。
【００４６】
第２チップ３２２は、本図において、第１チップ３２１と同様のサイズ及び向きで示されているが、上述のように、異なる位置に置かれており、それにより、中心軸３９０に対するこれらＬＥＤチップの場所又は位置の非対称分布を提供している。
【００４７】
図３ｃに示す照明装置３００ｃは、発光ダイオードチップ３２１ｃが別形状を有することを除いて、図２ａを参照して説明した照明装置２００ａと同等である。チップ３２１ｃの形状は、円の一部（又は一区画）であり、チップ３２１ｃの位置は、円の一区画の形状にされている当該チップの頂点又は先端が、円形のベース３１０ｃの中心３９０ｃと一致するようにされている。
【００４８】
図示されたチップ３２１ｃは、３つのコーナーを持つ形状を有しており、１つのコーナー（又は頂点）がベース３１０の中心３９０に置かれ、他の２つのコーナーがベース３１０のエッジにある。中心３９０で交差するチップ３２１ｃの二辺は直線状であり、中心３９０で交差しない一辺は、ベース３１０のエッジに沿った部分円の形状を有している。チップ３２１ｃは、ベース３１０の内側に収まっており、このケースでは、ベース３１０の面積の約１／６に相当する面積で図示されている。
【００４９】
図４に示す照明装置４００は、第２チップ４２２がベース４１０のエッジに接して又は隣接していることを除いて、図２ａを参照して説明した照明装置２００ａと同等である。第２チップ４２２は、ベース４１０のエッジに接触又は隣接している１つの点を有するようにされている。この実施形態では、第２チップ４２２の最短の辺が、第１チップ４２１の最短の辺を延長したものとアライメントされている。第２チップ４２２も、ベース４１０から外を向く方向に光を放つように構成される。
【００５０】
第２チップ４２２は、本図において、第１チップ４２１と同様のサイズ及び向きで示されているが、上述のように、異なる位置に置かれており、それにより、中心軸４９０に対するこれらＬＥＤチップの場所又は位置の非対称分布を提供している。
【００５１】
図５に示す照明装置５００は、チップ５２１が光コンポーネントの光学軸５９５を基準にしてアライメントされ得ることを除いて、図２ａを参照して説明した照明装置２００ａと同等である。チップ５２１は、その中心をベース５１０の中心に合わせられずに、チップ５２１の１つのコーナーが光コンポーネントの中心軸５９５と重なる又は少なくとも重なるのに近いものであるように配置されており、ここでは、中心軸５９５は、光コンポーネントの光学軸５９５である。理解されることになるように、ベースの中心軸５９０は、当該装置又は光コンポーネントの中心軸と一致してもよいし、一致しなくてもよい。１つ以上のチップが、例えばベースの中心軸５９０又は光コンポーネントの中心軸５９５などの、当該装置の何らかの中心軸を基準にして配置され得る。
【００５２】
チップ５２１は、本図において、図２を参照して説明したチップ２２１と同様のサイズ及び向きで示されているが、上での開示に従って位置付けられている。本図では、光学軸５９５とベースの中心軸５９０との間の距離は、チップ５２１の最短の延在の長さのおよそ１／２であり、ベースの中心軸５９０の位置は、チップ５２１の短辺が延在している方向にある。
【００５３】
図６に示す、ベース６１０と、第１チップ６２１と、第２チップ６２２と、中心軸６９０とを有する照明装置６００は、図２ｂを参照して説明した照明装置２００ｂと同等である。
【００５４】
ＬＥＤチップ６２１及び６２２を埋め込む光透過性誘電材料６８０は、本図において、ベース６１０から延在する円筒形の形状として示されている。ドームの中心及びベースの中心を通って、軸６９０が延在している。誘電材料は、シリコーン、エポキシ、又は同様の物質とし得る。誘電材料がルミネセント材料を含むことで、青色放出光の一部を白色光へと変換し得る。一般的なルミネセント材料は、例えばＣｅ；ＹＡＧであるが、例えばＣｅ及びＥｕで活性化された赤色及び黄色蛍光体といった、その他の蛍光体又は蛍光体の組み合わせも使用され得る。さらに、ＴｉＯ又はその他の白色顔料のような散乱剤が誘電材料に付加され得る。
【００５５】
図７に示す、ベース７１０と、第１チップ７２１と、第２チップ７２２と、中心軸７９０とを有する照明装置７００は、ベース７１０が別形状を有していることを除いて、図６を参照して説明した照明装置６００と概ね同等である。ベース７１０は、ボウル又はカップの形状にされており、その中に第１チップ７２１及び第２チップ７２２が位置付けられている。
【００５６】
ベース７１０は、本図において、チップが配置される平坦な円形領域によって示されている。その円形領域の縁にて、側壁が一様に上方に延在し、斯くしてボウルを形成している。本図では、光透過性誘電材料７８０は、ボウル状のベース７１０を充填し、斯くしてチップを覆うように示されている。
【００５７】
説明の目的で長方形のチップを用いてきたが、添付の請求項の実施形態はそのような使用に限定されるものではない。一例として、三角形、四角形、円形、楕円形、平行四辺形、又はこれらのうちの何れかのものからのセグメントとして形成されたチップが使用され得る。
【００５８】
特定の実施形態を記述してきたが、当業者が理解することになるように、添付の請求項に規定される範囲内で様々な変更及び改変が考えられ得る。
【図１ａ】
2018508962.tif 000003
【図２ａ】
2018508962.tif 000004
【図２ｂ】
2018508962.tif 000005
【図２ｃ】
2018508962.tif 000006
【図３ａ】
2018508962.tif 000007
【図３ｂ】
2018508962.tif 000008
【図３ｃ】
2018508962.tif 000009
【図４】
2018508962.tif 000010
【図５】
2018508962.tif 000011
【図６】
2018508962.tif 000012
【図７】
2018508962.tif 000013
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
出力方向に沿って光を放射するように構成された照明装置であって、当該照明装置は、
ベースであり、該ベース上で２つ以上の発光ダイオード（ＬＥＤ）チップが当該照明装置の中心軸に対して非対称に分布され、前記２つ以上のＬＥＤチップは前記出力方向に光を放つように配置される、ベースと、
前記２つ以上のＬＥＤチップを埋め込んだ光透過性誘電材料であり、ルミネセント材料を含む光透過性誘電材料と
を有し、
前記２つ以上のＬＥＤチップのうち、第１チップが、前記中心軸に最も近く配置され、
前記第１チップは、
前記中心軸及び前記第１チップが、前記第１チップのコーナーで重なる、又は
前記中心軸及び前記第１チップは重ならず、前記中心軸に最も近い前記第１チップのコーナーと前記中心軸との間の距離が、前記ベースのサイズの１／１０よりも大きくない、
ように配置され、
前記ベースは、長方形の形状又は正方形の形状を有し、
前記２つ以上のＬＥＤチップのうち、第２チップが、前記ベースのエッジに配置されて、前記第２チップの最長の辺が前記ベースの前記エッジに隣接するようにされており、且つ
その軸に沿って前記第２チップがその最長の延在を持つ軸が、その軸に沿って前記ベースがその最長の延在を持つ軸とアライメントされている、
照明装置。
【請求項２】
前記第２チップは、前記ベースの前記エッジに隣接した少なくとも１つの点を有し、前記第２チップの最短の辺が、前記第１チップの最短の辺を延長したものとアライメントされている、請求項１に記載の照明装置。
【請求項３】
前記第２チップは、前記ベースの前記エッジに隣接した２つの点を有し、前記第２チップの最長の辺が、前記第２チップに隣接した前記ベースの前記２つの点間の前記エッジの接線方向とアライメントされている、請求項２に記載の照明装置。
【請求項４】
前記２つ以上のＬＥＤチップのうち、第３チップが、前記第１チップよりは前記中心軸から遠く且つ前記第２チップよりは前記中心軸に近い位置に配置されている、請求項２又は３に記載の照明装置。
【請求項５】
前記出力方向に沿って放たれた光からビームを形成するように構成された光コンポーネント、を更に有する請求項１乃至４の何れか一項に記載の照明装置。
【請求項６】
前記中心軸が、前記光コンポーネントの光学軸と一致している、請求項５に記載の照明装置。
【請求項７】
前記中心軸は、放射される光の前記出力方向に、前記ベースの中心を通って延在している、請求項１乃至６の何れか一項に記載の照明装置。
【請求項８】
前記２つ以上のＬＥＤチップのうちの１つは、三角形、正方形、長方形、平行四辺形、多角形、又はこれらの形状の一部の形状にされている、請求項１乃至７の何れか一項に記載の照明装置。
【手続補正２】
【補正対象書類名】明細書
【補正対象項目名】０００２
【補正方法】変更
【補正の内容】
【０００２】
一般に、中出力及び低出力のＬＥＤベースの照明装置は、白色カップと、青色光を放出する２つ以上のＬＥＤチップと、放出された青色光の波長を変換するための蛍光体光伝達誘電体とを有する。波長変換蛍光体に到達する放出青色光は、通常、黄色光（波長変換蛍光体の特性に依存する）を生じさせる。ＬＥＤベースの照明装置からの光出力の一部は黄色であり得るが、ＬＥＤチップから異なる角度で放射される様々な光線が不等量の蛍光体を通過することに起因して、出力光は異なるスペクトル組成を有することになる。
【手続補正３】
【補正対象書類名】明細書
【補正対象項目名】０００８
【補正方法】変更
【補正の内容】
【０００８】
例えば、一実施形態において、出力方向に沿って光を放射するように構成された照明装置が提供される。当該照明装置は、ベースと、２つ以上の発光ダイオード（ＬＥＤ）チップと、光透過性の誘電材料とを有する。ベース上で、２つ以上のＬＥＤチップが当該照明装置の中心軸に対して非対称に分布される。これら２つ以上のＬＥＤチップは、上記出力方向に光を放つように構成される。光透過性誘電材料はこれら２つ以上のＬＥＤチップを埋め込んでいる。光透過性誘電材料はルミネセント材料を含んでいる。上記２つ以上のＬＥＤチップのうちの第１チップが、第１チップの１つのコーナーが当該照明装置の中心軸と重なるように配置され、又は少なくとも重なるのに近いものであるように配置される。
【手続補正４】
【補正対象書類名】明細書
【補正対象項目名】００１７
【補正方法】変更
【補正の内容】
【００１７】
一実施形態において、上記２つ以上のＬＥＤチップのうち、第２チップが、ベースのエッジに配置されて、第２チップの最長の辺がベースの該エッジとアライメントされる（揃えられる）ようにされる。この実施形態では、なおもＣＯＡを妥協することなく、また、装置を大いに拡大する大型化することなく、より高い光強度を有する照明装置が構築され得る。さらに、幾つかのＬＥＤチップを用いて、放出される光のいっそう良好な制御に達することができる。
【手続補正５】
【補正対象書類名】明細書
【補正対象項目名】００２１
【補正方法】変更
【補正の内容】
【００２１】
一実施形態において、上記２つ以上のＬＥＤチップのうち、第３チップが、第１チップよりは上記中心軸から遠く且つ第２チップよりは上記中心軸に近い位置に配置される。この実施形態では、ＣＯＡを妥協することなく、より多くのチップと、より高い光強度とを有する照明装置が構築され得る。さらに、幾つかのＬＥＤチップを用いて、より高度なカスタマイズと、放出される光のいっそう良好な制御とに達することができる。
【手続補正６】
【補正対象書類名】明細書
【補正対象項目名】００２４
【補正方法】変更
【補正の内容】
【００２４】
一実施形態において、ベースは、ボウル状の形状又は側壁を有する何らかのその他の形状を有する。側壁は、チップ及び誘電体を囲むことができ、また、反射性、拡散反射性、遮断性、又はこれらの組み合わせであり得る。本実施形態において、上記２つ以上のチップは典型的に、ベースの底部に配置される。チップとは反対側のベースの頂部は、チップから放たれた光を伝達するための放射窓として機能する開口部を形成し得る。この実施形態では、光透過性誘電材料は、ボウル形状のベースを充填することによって設けられ得る。この誘電体は、典型的に蛍光体と混合されて、青色放出光の一部を白色光へと変換し得る。
【国際調査報告】
2018508962.tif 000014
2018508962.tif 000015